(57)【要約】【課題】台間機のカード排出に関して使い勝手を向上させる。【解決手段】複数の遊技台２００の間や近傍に配置される複数の台間機と、所定の命令に応じて、複数の台間機に一括でカード排出命令を送信するサーバ３００と、を備える台間機用システム１が提供される。複数の台間機は、サーバ３００からのカード排出命令に基づいて、カードを排出する。【選択図】図８
2019136237.tif 000002
【特許請求の範囲】
【請求項１】
複数の遊技台の間や近傍に配置される複数の台間機と、
所定の命令に応じて、前記複数の台間機に一括でカード排出命令を送信するサーバと、を備え、
前記複数の台間機は、前記サーバからの前記カード排出命令に基づいて、カードを排出する、台間機用システム。
【請求項２】
前記複数の台間機の各々は、前記複数の台間機のそれぞれからカードを排出するための第１の命令と、前記台間機から個別にカードを排出するための第２の命令とを受け付けるための操作部を有する、請求項１に記載の台間機用システム。
【請求項３】
前記複数の台間機の各々は、前記複数の台間機のそれぞれから適正枚数を超えた分のカードを排出するための第１の命令と、前記複数の台間機のそれぞれから全てのカードを排出するための第２の命令と、を受け付けるための操作部を有する、請求項１または２に記載の台間機用システム。
【請求項４】
所定の命令をサーバが受け付けるステップと、
サーバが、予め定められた複数の台間機に一括でカード排出命令を送信するステップと、を備える情報処理方法。
【請求項５】
複数の台間機と通信するための通信インターフェイスと、
所定の命令に応じて、前記通信インターフェイスを介して前記複数の台間機に一括でカード排出命令を送信するプロセッサと、を備えるサーバ。
【発明の詳細な説明】
【技術分野】
【０００１】
本発明は、遊技台の間や近傍に配置される玉貸機やメダル貸機などの台間機の技術に関する。
【背景技術】
【０００２】
従来から、遊技台の間や近傍に配置される玉貸機やメダル貸機などの台間機が知られている。たとえば、特開２０１７−００６３１８号公報（特許文献１）には、遊技媒体取扱装置が開示されている。特許文献１によると、遊技媒体取扱装置は、制御状態が開店中である場合に、残カード枚数が３枚未満、又は１０枚以上である場合には、第１態様（例えば、点滅）による第１の色（例えば、青色）で報知を行い、残カード枚数が３枚以上、又は１０枚未満である場合には、第２態様（例えば、点灯）による第１の色（例えば、青色）で報知を行う。また、制御状態が閉店中である場合に、残カード枚数が３枚未満、又は１０枚以上である場合には、第１態様（例えば、点滅）による第２の色（例えば、白色）で報知を行い、残カード枚数が３枚以上、又は１０枚未満である場合には、第２態様（例えば、点灯）による第２の色（例えば、白色）で報知を行う。
【０００３】
また、特開２０１６−１６８２８１号公報（特許文献２）には、制御装置、制御装置の制御方法、制御プログラムおよび記録媒体が開示されている。特許文献２によると、遊技機に対応する台間機と、カードを収納したカード収納部との間でカードを可逆に搬送する搬送装置を制御するカード収納庫であって、台間機に貯留されているカードをカード収納部へ搬送する回収処理を搬送装置に実行させる回収制御部を備え、回収制御部は、台間機に貯留されているカードの貯留枚数が適正枚数になるように、回収処理を搬送装置に実行させる。
【先行技術文献】
【特許文献】
【０００４】
【特許文献１】特開２０１７−００６３１８号公報
【特許文献２】特開２０１６−１６８２８１号公報
【発明の概要】
【発明が解決しようとする課題】
【０００５】
台間機のカード排出に関して使い勝手を向上させる技術が求められている。そこで、本発明の目的は、台間機のカード排出に関して使い勝手を向上させることにある。
【課題を解決するための手段】
【０００６】
この発明のある態様に従うと、複数の遊技台の間や近傍に配置される複数の台間機と、所定の命令に応じて、複数の台間機に一括でカード排出命令を送信するサーバとを備える台間機用システムが提供される。複数の台間機は、サーバからのカード排出命令に基づいて、カードを排出する。
【発明の効果】
【０００７】
以上のように、本発明によれば、台間機のカード排出に関して使い勝手を向上させる。
【図面の簡単な説明】
【０００８】
【図１】第１の実施の形態にかかる台間玉貸機１００の正面図である。
【図２】第１の実施の形態にかかる台間玉貸機１００の側面断面図である。
【図３】第１の実施の形態にかかる台間玉貸機１００の背面図である。
【図４】第１の実施の形態にかかる台間機用システム１のイメージ図である。
【図５】第１の実施の形態にかかる台間玉貸機１００のタッチパネル１３０の第１の画面例と台間玉貸機１００の状態表示ランプ１０１の点灯のイメージ図である。
【図６】第１の実施の形態にかかる台間玉貸機１００のタッチパネル１３０の第２の画面例と台間玉貸機１００の状態表示ランプ１０１の点滅のイメージ図である。
【図７】第１の実施の形態にかかるタッチパネル１３０の第１の画面推移のイメージ図である。
【図８】第１の実施の形態にかかるタッチパネル１３０の第２の画面推移のイメージ図である。
【図９】第１の実施の形態にかかるタッチパネル１３０の第３の画面推移のイメージ図である。
【図１０】第１の実施の形態にかかるサーバ３００の構成を示すブロック図である。
【図１１】第１の実施の形態にかかる台間玉貸機データベース３２１を示すイメージ図である。
【図１２】第１の実施の形態にかかる店舗内の列や島を示すイメージ図である。
【図１３】第１の実施の形態にかかるサーバ３００における情報処理を示すフローチャートである。
【発明を実施するための形態】
【０００９】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜台間玉貸機１００の構成＞
【００１０】
まず、本実施の形態にかかる台間玉貸機１００の構成について説明する。図１は、本実施の形態にかかる台間玉貸機１００の正面図である。図２は、本実施の形態にかかる台間玉貸機１００の側面断面図である。
【００１１】
図１と図２とを参照して、台間玉貸機１００は、主に、状態表示ランプ１０１と、紙幣挿入口１０２と、紙幣識別機１１５と、タッチパネル１３０と、払い出しスイッチ１０４と、貸出ノズル１０５と、メンテナンスタグタッチセンサ１０６と、カード挿入排出口１０７と、カードリーダライタユニット１１７と、計数機１０８と、玉切りユニット１１６と、制御基板１１０と、外部接続基板１６０とを有する。
【００１２】
紙幣挿入口１０２には紙幣が挿入される。紙幣識別機１１５は紙幣を識別し、識別結果を制御基板１１０のＣＰＵ（Central Processing Unit）１１１に受け渡す。ＣＰＵ１１１は、同じく制御基板１１０のメモリ１１２にデータを蓄積したりデータを読み出したりする。ＣＰＵ１１１は、メンテナンスタグタッチセンサ１０６からの信号に基づいて、メンテナスモードに移行する。カード挿入排出口１０７は、会員カードやビジターカードを受け付ける。ＣＰＵ１１１は、カードリーダライタユニット１１７を利用して会員カードやビジターカードの識別情報を読み出したり、計数機１０８からカウント結果を取得したり、貯玉や持ち玉に関する情報を外部接続基板１６０を介してサーバ３００と送受信したりする。ＣＰＵ１１１は、タッチパネル１３０に各種情報を表示させたり、各種命令を受け付けたりする。ＣＰＵ１１１は、払い出しスイッチ１０４からの信号に基づいて貸出ノズル１０５から玉を出力する。
【００１３】
なお、これらの各部は、その全てが台間玉貸機１００に搭載される必要があるわけではなく、たとえば貸出ノズル１０５は無くてもよく、遊技台２００などの他の装置から玉を出力してもよい。
【００１４】
図３は、本実施の形態にかかる台間玉貸機１００の背面図である。図３を参照して、外部接続基板１６０には、社内ＬＡＮ（Local Area Network）やＷＡＮ（Wide Area Network）を介してサーバ３００などの他の装置と通信するための接続コネクタ１６１が設けられる。また、外部接続基板１６０には、対応する遊技台と通信するための接続コネクタ１６３も設けられている。
＜台間機用システム１の構成＞
【００１５】
次に、本実施の形態にかかる台間機用システム１の構成について説明する。図４は、本実施の形態にかかる台間機用システム１のイメージ図である。図４を参照して、台間機用システム１は、複数の遊技台２００，２００・・・と、それらの間に設置される複数の台間玉貸機１００，１００・・・と、台間玉貸機１００，１００・・・と通信可能なサーバ３００とを含む。本実施の形態においては、複数の遊技台２００，２００・・・毎に、正面視において左側に１つの台間玉貸機１００が設置される形態について説明する。
【００１６】
本実施の形態においては、閉店中は、台間玉貸機１００は、図５および図６に示すように、対応する遊技台２００の台番号や、現在の持ち玉や、台間玉貸機１００にストックされているカードの枚数１３０Ｘなどを表示する。
【００１７】
より詳細には、台間玉貸機１００は、指定されている適正枚数のカードをストックしている場合には、図５に示すように、状態表示ランプ１０１を点灯させる。そして、台間玉貸機１００は、タッチパネル１３０に、第１の背面色、たとえば青色の背景の上に適正枚が数を表示させる。
【００１８】
一方、台間玉貸機１００は、指定されている適正枚数のカードをストックしていない場合には、図６に示すように、状態表示ランプ１０１を点滅させる。そして、台間玉貸機１００は、タッチパネル１３０に、第２の背面色、たとえば赤色の背景の上にストック数を表示させる。
【００１９】
そして本実施の形態にかかる台間玉貸機１００は、店舗の管理者のＩＣタグを読み取ると、タッチパネル１３０に図７（Ａ）に示すようなメンテナンス画面を表示させる。より詳細には、制御基板１１０のＣＰＵ１１１が、メンテナンスタグタッチセンサ１０６を介して管理者のＩＣタグを読み取ると、タッチパネル１３０にメンテナンス画面を表示させる。本実施の形態においては、メンテナンス画面には、自身の台間玉貸機１００のカードを回収するための第１のボタン１３１や、自身の台間玉貸機１００と同じ列の複数の台間玉貸機１００のカードを回収するための第２のボタン１３２や、金庫を開放するためのボタンなどを表示する。
【００２０】
ユーザが第１のボタン１３１にタッチすると、台間玉貸機１００は、自身にストックされているカードを排出するための画面を表示する。たとえば、図７（Ｂ）に示すように、台間玉貸機１００は、全てのカードを排出するためのボタン１３３と、サーバ３００にて指定されている適正枚数を超えた分のカードを排出するためのボタン１３４と、指定された枚数分のカードを排出するためのボタン１３５とを表示する。
【００２１】
図８（Ａ）の画面において、ユーザが第２のボタン１３２にタッチすると、図８（Ｂ）に示すように、台間玉貸機１００は、自身の台間玉貸機１００と同じ列の複数の台間玉貸機１００のカードを回収するための画面を表示する。たとえば、台間玉貸機１００は、当該複数の台間玉貸機１００の全てのカードを排出するためのボタン１３３と、サーバ３００にて指定されている適正枚数を超えた分のカードを排出するためのボタン１３４と、指定された枚数分のカードを排出するためのボタン１３５とを表示する。
【００２２】
いずれかのボタン１３３，１３４を押すと、台間玉貸機１００は、カードを排出するとともに、図９（Ａ）に示すように、カードの回収を促すための画面を表示する。本実施の形態においては、台間玉貸機１００は、ユーザが回収するたびに１枚ずつカードを排出していく。ただし、台間玉貸機１００は、全てのカードを一気に排出するものであってもよい。排出すべき全てのカードが回収されると、台間玉貸機１００は、図９（Ｂ）に示すようにメンテナンス画面を表示する。
＜台間機用システム１のサーバ３００＞
【００２３】
以下、このような機能を実現するための台間機用システム１のサーバ３００について説明する。まず、図１０を参照して、本実施の形態にかかるサーバ３００は、主に、ＣＰＵ（Central Processing Unit）３１０、メモリ３２０、操作部３３０、通信インターフェイス３６０などを有する。なお、サーバ３００は、遊技台２００，２００・・・や台間玉貸機１００，１００・・・が配置される店舗内に配置されるものであってもよいし、店舗外に配置されてインターネットやキャリア網を介して遠隔から台間玉貸機１００，１００・・・と通信するものであってもよい。
【００２４】
ＣＰＵ３１０は、メモリ３２０に格納されているプログラムを実行し、メモリ３２０や他のデータベースのデータを参照することによって各種の処理を実行する。
【００２５】
メモリ３２０は、各種のＲＡＭ（Random  Access  Memory）、各種のＲＯＭ（Read-Only  Memory）などによって実現され、サーバ３００に内包されているものであってもよいし、サーバ３００の各種インターフェイスに着脱可能なものであってもよいし、サーバ３００からアクセス可能な他の装置の記録媒体であってもよい。メモリ３２０は、ＣＰＵ３１０によって実行されるプログラムや、ＣＰＵ３１０によるプログラムの実行により生成されたデータ、台間玉貸機１００にストックしておくべきカードの適正枚数と、その他の本実施の形態にかかるサービスに利用されるデータベースなどを記憶する。
【００２６】
たとえば、メモリ３２０は、図１１に示すような台間玉貸機データベース３２１を記憶する。台間玉貸機データベース３２１は、台間玉貸機１００毎に、台間玉貸機１００の識別情報と、台間玉貸機１００が配置される店舗の識別情報と、台間玉貸機１００が属する列の識別情報と、台間玉貸機１００に対応する遊技台２００の識別情報と、台間玉貸機１００に対応する遊技台２００の種類の識別情報と、台間玉貸機１００の現在蓄積しているカードの枚数などの対応関係を格納する。
【００２７】
なお、ここで、台間玉貸機１００，１００・・・の属する列とは、サーバ３００の管理者が列ＩＤを設定することによって自由に定義できるものである。たとえば、図１２に示すように実際に遊技台２００の正面視において左右方向に並んでいる複数の台間玉貸機１００，１００を列に設定してもよいし、同じ種類の台間玉貸機１００，１００・・・を１つの列に設定したりすることもできる。
【００２８】
図１１に戻って、操作部３３０は、店舗の管理者などの各種命令を受け付けて、当該命令をＣＰＵ３１０に入力する。
【００２９】
通信インターフェイス３６０は、ＣＰＵ３１０からのデータを、ＬＡＮやインターネットやキャリア網やルータなどを介して、台間玉貸機１００，１００・・・などの他の装置に送信する。逆に、通信インターフェイス３６０は、ＬＡＮやインターネットやキャリア網やルータなどを介して、台間玉貸機１００，１００・・・などの他の装置からのデータを受信してＣＰＵ３１０に受け渡す。
＜台間機用システム１のサーバ３００の情報処理＞
【００３０】
次に、サーバ３００のＣＰＵ３１０の情報処理について説明する。ＣＰＵ３１０は、通信インターフェイス３６０を介して、台間玉貸機１００からカード回収のためのデータを受け付けると、図１３に示す処理を実行する。
【００３１】
まず、ＣＰＵ３１０は、受信データから台間玉貸機１００のＩＤを読み出す（ステップＳ１０２）。ＣＰＵ３１０は、受信データから、台間玉貸機１００が列のカード回収命令を受け付けたか否かを判断する（ステップＳ１０４）。
【００３２】
ＣＰＵ３１０は、台間玉貸機１００が列のカード回収命令を受け付けた場合（ステップＳ１０４にてＹＥＳである場合）、台間玉貸機データベース３２１を参照して、台間玉貸機１００の列ＩＤを特定する（ステップＳ１０６）。ＣＰＵ３１０は、台間玉貸機データベース３２１を参照して、当該列ＩＤに対応する全ての台間玉貸機１００のＩＤを特定する（ステップＳ１０８）。より詳細には、サーバ３００は、列のカード回収命令を受け付けた場合は、列に属する複数の台間玉貸機１００毎にステップＳ１１０からの処理を実行し、個別のカード回収命令を受け付けた場合は、命令が入力された台間玉貸機１００に関してステップＳ１１０からの処理を実行する。
【００３３】
ＣＰＵ３１０は、台間玉貸機１００が適正枚数を超えるカードの排出命令を受け付けたか否かを判断する（ステップＳ１１０）。台間玉貸機１００が適正枚数を超えるカードの排出命令を受け付けた場合（ステップＳ１１０にてＹＥＳである場合）、ＣＰＵ３１０は、メモリ３２０から適正枚数を読みだす（ステップＳ１１２）。ＣＰＵ３１０は、通信インターフェイス３６０を介して、列に含まれる全ての台間玉貸機１００に適正枚数を超えるカードの排出命令を送信する（ステップＳ１１４）。これによって、対象となっている台間玉貸機１００と同じ列に指定されている全ての台間玉貸機１００が、ストックしているカードのうちの適正枚数を超える分を排出する。
【００３４】
なお、サーバ３００が台間玉貸機１００に適正枚数を送信して、台間玉貸機１００が排出すべきカードの枚数を計算してもよいし、サーバ３００が適正枚数と台間玉貸機１００の蓄積枚数とに基づいて排出すべきカードの枚数を計算して当該枚数を台間玉貸機１００に送信してもよい。
【００３５】
適正枚数を超えるカードの排出命令を受け付けなかった場合（ステップＳ１１０にてＮＯである場合）、ＣＰＵ３１０は、台間玉貸機１００が指定枚数のカードの排出命令を受け付けたか否かを判断する（ステップＳ１１６）。台間玉貸機１００が指定枚数のカードの排出命令を受け付けた場合（ステップＳ１１６にてＹＥＳである場合）、ＣＰＵ３１０は、通信インターフェイス３６０を介して、列に含まれる全ての台間玉貸機１００に指定された枚数のカードの排出命令を送信する（ステップＳ１１８）。これによって、対象となっている台間玉貸機１００と同じ列に指定されている全ての台間玉貸機１００が、指定された枚数のカードを排出する。
【００３６】
台間玉貸機１００が指定枚数のカードの排出命令を受け付けなかった場合（ステップＳ１１６にてＮＯである場合）、ＣＰＵ３１０は、台間玉貸機１００が全枚数のカードの排出命令を受け付けたか否かを判断する（ステップＳ１２０）。台間玉貸機１００が全枚数のカードの排出命令を受け付けた場合（ステップＳ１２０にてＹＥＳである場合）、ＣＰＵ３１０は、通信インターフェイス３６０を介して、列に含まれる全ての台間玉貸機１００に全てのカードの排出命令を送信する（ステップＳ１２２）。これによって、対象となっている台間玉貸機１００と同じ列に指定されている全ての台間玉貸機１００が、ストックしている全てのカードを排出する。
【００３７】
なお、台間玉貸機１００が全枚数のカードの排出命令を受け付けていない場合（ステップＳ１２０にてＮＯである場合）、ＣＰＵ３１０は、台間玉貸機１００で戻るボタンが押されると（ステップＳ１２４にてＹＥＳである場合）今回の処理を終了し、押されていない場合（ステップＳ１２４にてＮＯである場合）はステップＳ１１０からの処理を繰り返す。
【００３８】
以上のように本実施の形態にかかる台間機用システム１に関しては、閉店後などにメンテナンスをする係員が、台間玉貸機１００に、ＩＣタグをかざしたり、図７〜図９に示す画面操作を実行したりする必要がなくなる。その結果、台間玉貸機１００のメンテナンスを容易にすることができる。
＜第２の実施の形態＞
【００３９】
上記の実施の形態の台間機用システム１の各装置の役割の一部または全部を他の装置が実行してもよい。たとえば、台間玉貸機１００や遊技台２００やサーバ３００の各々の役割の一部または全部を別の装置が担ったり、台間玉貸機１００や遊技台２００やサーバ３００の各々の役割の一部または全部を複数の装置で担ったりしてもよい。
【００４０】
たとえば、上記の実施の形態においては、店舗の管理者などが台間玉貸機１００に対して、個別の台間玉貸機１００のカードの排出命令や列や島の台間玉貸機１００のカードの排出命令を入力するものであった。しかしながら、たとえば、台間玉貸機１００の列毎や台間玉貸機１００の島毎に配置される操作ユニットや、サーバ３００の操作部３３０や、サーバ３００と通信可能なタブレットなどの通信端末などにカードの排出命令を入力できるシステムであってもよい。つまり、管理者などからのカードの排出命令の入力端末は限定されない。
【００４１】
また、上記の実施の形態においては、サーバ３００が、個別の台間玉貸機１００のカードの排出命令や列や島の台間玉貸機１００のカードの排出命令を発信するものであった。しかしながら、台間玉貸機１００の列や台間玉貸機１００の島毎に配置される操作ユニットや、その他の通信端末などがカードの排出命令を発信するシステムであってもよい。つまり、カードの排出命令の発信装置も限定されない。
【００４２】
また、上記の実施の形態においては、個別の台間玉貸機１００のカードの排出命令が入力された場合であっても、サーバ３００がカードの排出命令を送信するものであったが、個別の台間玉貸機１００のカードの排出命令が入力された場合には台間玉貸機１００においてローカルでカードを排出してもよい。あるいは、個別の排出命令に関しても列の排出命令に関しても、サーバ３００を利用せずに、いずれかの台間玉貸機１００が、上記の実施の形態にかかるサーバ３００の役割を担ってもよい。たとえば、列の一番左端や一番右端の台間玉貸機１００が、上記の実施の形態にかかるサーバ３００の役割を担ってもよい。
＜第３の実施の形態＞
【００４３】
また上記の技術は、台間玉貸機１００に限らず、台間メダル貸機などにも適用可能である。
＜まとめ＞
【００４４】
上記の実施の形態においては、複数の遊技台２００の間や近傍に配置される複数の台間機と、所定の命令に応じて、複数の台間機に一括でカード排出命令を送信するサーバ３００とを備える台間機用システム１が提供される。複数の台間機は、サーバ３００からのカード排出命令に基づいて、カードを排出する。なお、台間機は、台間玉貸機１００や台間メダル貸機などである。
【００４５】
好ましくは、複数の台間機の各々は、複数の台間機のそれぞれからカードを排出するための第１の命令と、台間機から個別にカードを排出するための第２の命令とを受け付けるための操作部を有する。なお、操作部は、タッチパネル１３０やボタンなどである。
【００４６】
好ましくは、複数の台間機の各々は、複数の台間機のそれぞれから適正枚数を超えた分のカードを排出するための第１の命令と、複数の台間機のそれぞれから全てのカードを排出するための第２の命令とを受け付けるための操作部を有する。
【００４７】
上記の実施の形態においては、所定の命令をサーバ３００が受け付けるステップと、サーバが、予め定められた複数の台間機に一括でカード排出命令を送信するステップとを備える情報処理方法が提供される。
【００４８】
上記の実施の形態においては、複数の台間機と通信するための通信インターフェイス３６０と、所定の命令に応じて、通信インターフェイス３６０を介して複数の台間機に一括でカード排出命令を送信するプロセッサ３１０とを備えるサーバ３００が提供される。
【００４９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５０】
１        ：台間機用システム
１００    ：台間玉貸機
１０１    ：状態表示ランプ
１０２    ：紙幣挿入口
１０４    ：払い出しスイッチ
１０５    ：貸出ノズル
１０６    ：メンテナンスタグタッチセンサ
１０７    ：カード挿入排出口
１０８    ：計数機
１１０    ：制御基板
１１１    ：ＣＰＵ
１１２    ：メモリ
１１５    ：紙幣識別機
１１６    ：玉切りユニット
１１７    ：カードリーダライタユニット
１３０    ：タッチパネル
１３０Ｘ  ：枚数
１３１    ：第１のボタン
１３２    ：第２のボタン
１３３    ：ボタン
１３４    ：ボタン
１３５    ：ボタン
１６０    ：外部接続基板
１６１    ：接続コネクタ
１６３    ：接続コネクタ
２００    ：遊技台
３００    ：サーバ
３１０    ：ＣＰＵ
３２０    ：メモリ
３２１    ：台間玉貸機データベース
３３０    ：操作部
３６０    ：通信インターフェイス
【図１】
2019136237.tif 000003
【図２】
2019136237.tif 000004
【図３】
2019136237.tif 000005
【図４】
2019136237.tif 000006
【図５】
2019136237.tif 000007
【図６】
2019136237.tif 000008
【図７】
2019136237.tif 000009
【図８】
2019136237.tif 000010
【図９】
2019136237.tif 000011
【図１０】
2019136237.tif 000012
【図１１】
2019136237.tif 000013
【図１２】
2019136237.tif 000014
【図１３】
2019136237.tif 000015
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
複数の遊技台の間や近傍に配置される複数の台間機を備え、
前記複数の台間機の各々は、前記複数の台間機のそれぞれからカードを排出するための第１の命令と、前記台間機から個別にカードを排出するための第２の命令とを受け付けるための操作部を有し、
前記第１の命令に応じて、前記複数の台間機に一括でカード排出命令を送信するサーバをさらに備え、
前記複数の台間機の各々は、前記サーバからの前記カード排出命令に基づいて、カードを排出する、台間機用システム。
【請求項２】
前記複数の台間機の各々の操作部は、
前記第１の命令を受け付けた際に、前記複数の台間機のそれぞれから適正枚数を超えた分のカードを排出するための命令と、前記複数の台間機のそれぞれから全てのカードを排出するための命令と、を受け付け、
前記第２の命令を受け付けた際に、前記台間機から適正枚数を超えた分のカードを排出するための命令と、前記台間機から全てのカードを排出するための命令と、を受け付ける、請求項１に記載の台間機用システム。
【請求項３】
前記サーバは、前記第１の命令を受け付けた際に、列または島または所定のエリアに属する前記複数の台間機のグループ関係に基づいて、当該グループに属する前記複数の台間機のそれぞれに前記カード排出命令を送信する、請求項１または２に記載の台間機用システム。
【請求項４】
いずれかの台間機から、複数の台間機のそれぞれからカードを排出するための命令をサーバが受け付けるステップと、
サーバが、前記複数の台間機に一括でカード排出命令を送信するステップと、を備える情報処理方法。
【請求項５】
複数の台間機と通信するための通信インターフェイスと、
いずれかの台間機からの、複数の台間機のそれぞれからカードを排出するための命令に応じて、前記通信インターフェイスを介して前記複数の台間機に一括でカード排出命令を送信するプロセッサと、を備えるサーバ。
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
複数の遊技台の間や近傍に配置される複数の台間機を備え、
前記複数の台間機の各々は、前記台間機自身と同じグループの複数の台間機のそれぞれからカードを排出するための第１の命令と、前記台間機自身から個別にカードを排出するための第２の命令とを選択的に受け付けるための操作部を有し、
前記台間機から前記複数の台間機からカードを排出するための第１の命令を受け付けたと判断した場合に、前記台間機と同じグループに属する複数の台間機を特定することによって当該複数の台間機に一括でカード排出命令を送信するサーバをさらに備え、
前記複数の台間機の各々は、前記サーバからの前記カード排出命令に基づいて、カードを排出する、台間機用システム。
【請求項２】
前記複数の台間機の各々の操作部は、
前記第１の命令を受け付けた際に、前記複数の台間機のそれぞれから適正枚数を超えた分のカードを排出するための命令と、前記複数の台間機のそれぞれから全てのカードを排出するための命令と、を受け付け、
前記第２の命令を受け付けた際に、前記台間機から適正枚数を超えた分のカードを排出するための命令と、前記台間機から全てのカードを排出するための命令と、を受け付ける、請求項１に記載の台間機用システム。
【請求項３】
前記サーバは、前記第１の命令を受け付けた際に、列または島または所定のエリアに属する前記複数の台間機のグループ関係に基づいて、当該グループに属する前記複数の台間機のそれぞれに前記カード排出命令を送信する、請求項１または２に記載の台間機用システム。
【請求項４】
いずれかの台間機が、前記台間機自身と同じグループの複数の台間機のそれぞれからカードを排出するための第１の命令と、前記台間機自身から個別にカードを排出するための第２の命令とを選択的に受け付けるステップと、
サーバが、前記台間機から前記複数の台間機からカードを排出するための第１の命令を受け付けたと判断した場合に、前記台間機と同じグループに属する複数の台間機を特定することによって当該複数の台間機に一括でカード排出命令を送信するステップと、
前記複数の台間機の各々が、前記サーバからの前記カード排出命令に基づいて、カードを排出するステップと、を備える情報処理方法。
【請求項５】
複数の台間機と通信するための通信インターフェイスと、
前記台間機から前記複数の台間機からカードを排出するための第１の命令を受け付けたと判断した場合に、前記台間機と同じグループに属する複数の台間機を特定し、通信インターフェイスを介して当該複数の台間機に一括でカード排出命令を送信するプロセッサと、を備えるサーバ。
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
複数の遊技台の間や近傍に配置される複数の台間機を備え、
前記複数の台間機の各々は、前記台間機自身と同じグループの複数の台間機のそれぞれからカードを排出するための第１の命令を受け付けるためのボタンと、前記台間機自身から個別にカードを排出するための第２の命令を受け付けるためのボタンと、を同時に表示することによって当該いずれかの命令を選択的に受け付けるための操作部を有し、
前記台間機から前記複数の台間機からカードを排出するための第１の命令を受け付けたと判断した場合に、前記台間機と同じグループに属する複数の台間機を特定することによって当該複数の台間機に一括でカード排出命令を送信するサーバをさらに備え、
前記複数の台間機の各々は、前記サーバからの前記カード排出命令に基づいて、カードを排出する、台間機用システム。
【請求項２】
前記複数の台間機の各々の操作部は、
前記第１の命令を受け付けた際に、前記複数の台間機のそれぞれから適正枚数を超えた分のカードを排出するための命令を受け付けるためのボタンと、前記複数の台間機のそれぞれから全てのカードを排出するための命令を受け付けるためのボタンと、を表示することによって当該いずれかの命令を選択的に受け付け、
前記第２の命令を受け付けた際に、前記台間機から適正枚数を超えた分のカードを排出するための命令を受け付けるためのボタンと、前記台間機から全てのカードを排出するための命令を受け付けるためのボタンと、を表示することによって当該いずれかの命令を選択的に受け付ける、請求項１に記載の台間機用システム。
【請求項３】
前記サーバは、前記第１の命令を受け付けた際に、列または島または所定のエリアに属するものとして予め管理者によって設定された前記複数の台間機のグループ関係に基づいて、当該グループに属する前記複数の台間機のそれぞれに前記カード排出命令を送信する、請求項１または２に記載の台間機用システム。
【請求項４】
いずれかの台間機が、前記台間機自身と同じグループの複数の台間機のそれぞれからカードを排出するための第１の命令を受け付けるためのボタンと、前記台間機自身から個別にカードを排出するための第２の命令を受け付けるためのボタンと、を同時に表示することによって当該いずれかの命令を選択的に受け付けるステップと、
サーバが、前記台間機から前記複数の台間機からカードを排出するための第１の命令を受け付けたと判断した場合に、前記台間機と同じグループに属する複数の台間機を特定することによって当該複数の台間機に一括でカード排出命令を送信するステップと、
前記複数の台間機の各々が、前記サーバからの前記カード排出命令に基づいて、カードを排出するステップと、を備える情報処理方法。